(57)【特許請求の範囲】
【請求項１】
電源コードの巻付け部を備えた可動部材を有し、該可動部材は、その軸線方向に移動可能にハウジング内に収納され、可動部材を移動させることによって、巻付け部に電源コードを巻付け可能に可動部材がハウジングから突出し、その可動部材をハウジング内に移動させることにより、電源コードをハウジング内に収納する電源コード収納装置を備えた電気機器であって、巻付け部に巻き付けられた電源コードのプラグを保持するプラグ保持部が、可動部材の突出側端部に設けられ、可動部材がハウジング内に収納されたときに、電源コードと共にプラグもハウジングに収納可能であり、
電源コード収納装置は、前記可動部材と、外壁部材及びスリーブとから成り、外壁部材は、可動部材がその軸線方向に移動できるための空間部と、その空間部の周囲を覆う周壁と、可動部材をハウジングから突出させるための開口と、その開口と反対側の端部を覆う端壁とを有し、該端壁には、前記空間部に向かって延びるガイド支柱が設けられ、スリーブは、両端が開放された筒状に形成されその内部に挿通孔を有し、その挿通孔に前記ガイド支柱が挿通されて、該ガイド支柱に対し軸線方向に摺動可能であり、可動部材の巻付け部は、筒状に形成されその内部に挿通孔を有し、その挿通孔に前記スリーブが挿通されて、該スリーブに対し軸線方向に摺動可能であり、
巻付け部を電源コード巻付け可能にハウジングから引き出した状態において、ガイド支柱がスリーブに部分的に内接し、スリーブが巻付け部に部分的に内接して、可動部材が、スリーブを介してガイド支柱に連結され、
電源コード巻付け可能状態から、可動部材をハウジングの内部方向に一杯に移動させたときに、スリーブが移動してガイド支柱の外周面全体がスリーブに内接し、且つスリーブの外周面全体が可動部材に内接することにより、可動部材、電気コード及びプラグがハウジング内に収納されることを特徴とする電気機器。
【請求項２】
保持されたプラグのプラグブレードの延びる方向が、巻付け部の軸線方向に対して垂直をなす請求項１記載の電気機器。
【請求項３】
プラグが扁平に形成され、その扁平面が、巻付け部の軸線方向に対して垂直をなすようにプラグが保持される請求項２記載の電気機器。
【請求項４】
プラグがプラグ保持部に保持されたときに、プラグブレードがプラグ保持部の外周よりも外側に突出するようにプラグ保持部が形成され、可動部材がハウジング内に収納されたときに、プラグブレードを受ける凹所がハウジングに形成されている請求項２又は請求項３記載の電気機器。
【請求項５】
電気コード及びプラグがハウジングの表面から突出しないようにハウジング内に収納することができる請求項１乃至請求項４のいずれか一項記載の電気機器。
【請求項６】
電源コード収納装置は、電気機器本体とは独立した装置として構成され、電気機器本体に一体的に固定される請求項１乃至請求項５のいずれか一項記載の電気機器。
【発明の詳細な説明】
【技術分野】
【０００１】
本発明は、ハンドミキサーなどの電気機器であって、電源コードを電気機器本体に収納するための収納装置を備えた電気機器に関する。
【背景技術】
【０００２】
電源コードを筒状の巻付け部に巻き付けて本体内に収納する電気機器が、特許文献１の図４に示されている。この電気機器では、巻付け部に巻き付けた電源コードのプラグを留め置く手段を有していない。したがって、本体に収納された電源コードの巻付けが緩みやすく、電気機器を移動させるときなどに、固定されていないプラグが揺れ動くことによって巻付けが徐々にほどける虞がある。また、前記図４の巻付け部の端部に取り付けられた止め板は、本体の中に収納できない構成であり、プラグとそのプラグを接続している電源コード端部も本体の中に収納できない構成である。
【先行技術文献】
【特許文献】
【０００３】
【特許文献１】特許第４２８８２０８号公報
【発明の概要】
【発明が解決しようとする課題】
【０００４】
本発明は、電源コード収納装置の巻付け部に巻き付けた電源コードの巻付け状態を確実に維持することができると共に、電源コードやそれに取り付けられているプラグも電気機器の本体内に収納可能とすることもできる電気機器を提供することを目的とするものである。
【課題を解決するための手段】
【０００５】
請求項１記載の発明は、電源コードの巻付け部を備えた可動部材を有し、該可動部材は、その軸線方向に移動可能にハウジング内に収納され、可動部材を移動させることによって、巻付け部に電源コードを巻付け可能に可動部材がハウジングから突出し、その可動部材をハウジング内に移動させることにより、電源コードをハウジング内に収納する電源コード収納装置を備えた電気機器であって、巻付け部に巻き付けられた電源コードのプラグを保持するプラグ保持部が、可動部材の突出側端部に設けられ、可動部材がハウジング内に収納されたときに、電源コードと共にプラグもハウジングに収納可能であり、電源コード収納装置は、前記可動部材と、外壁部材及びスリーブとから成り、外壁部材は、可動部材がその軸線方向に移動できるための空間部と、その空間部の周囲を覆う周壁と、可動部材をハウジングから突出させるための開口と、その開口と反対側の端部を覆う端壁とを有し、該端壁には、前記空間部に向かって延びるガイド支柱が設けられ、スリーブは、両端が開放された筒状に形成されその内部に挿通孔を有し、その挿通孔に前記ガイド支柱が挿通されて、該ガイド支柱に対し軸線方向に摺動可能であり、可動部材の巻付け部は、筒状に形成されその内部に挿通孔を有し、その挿通孔に前記スリーブが挿通されて、該スリーブに対し軸線方向に摺動可能であり、巻付け部を電源コード巻付け可能にハウジングから引き出した状態において、ガイド支柱がスリーブに部分的に内接し、スリーブが巻付け部に部分的に内接して、可動部材が、スリーブを介してガイド支柱に連結され、電源コード巻付け可能状態から、可動部材をハウジングの内部方向に一杯に移動させたときに、スリーブが移動してガイド支柱の外周面全体がスリーブに内接し、且つスリーブの外周面全体が可動部材に内接することにより、可動部材、電気コード及びプラグがハウジング内に収納される構成である。
【０００６】
請求項２記載の発明は、保持されたプラグのプラグブレードの延びる方向が、巻付け部の軸線方向に対して垂直をなす構成である。
【０００７】
請求項３記載の発明は、プラグが扁平に形成され、その扁平面が、巻付け部の軸線方向に対して垂直をなすようにプラグが保持される構成である。また、請求項４記載の発明は、プラグがプラグ保持部に保持されたときに、プラグブレードがプラグ保持部の外周よりも外側に突出するようにプラグ保持部が形成され、可動部材がハウジング内に収納されたときに、プラグブレードを受ける凹所がハウジングに形成されている構成である。さらに、請求項５記載の発明は、電気コード及びプラグがハウジングの表面から突出しないようにハウジング内に収納することができる構成である。
【０００８】
請求項６記載の発明は、電源コード収納装置が、電気機器本体とは独立した装置として構成され、電気機器本体に一体的に固定される構成である。
【発明の効果】
【０００９】
請求項１記載の発明は、巻付け部に巻き付けられた電源コードのプラグを保持するプラグ保持部が、可動部材に設けられている。したがって、プラグ保持部にプラグが保持されることにより、巻き付けられた電源コードの巻付けが緩むことを防止することができる。また、プラグ保持部が可動部材に設けられているので、可動部材の移動中に、巻き付けられている電源コードとプラグとが一緒に移動する。すなわち、プラグが本体に保持されていないので、移動中に電源コードがプラグを引っ張ることがなく、プラグが外れることがないのである。
【００１０】
請求項２記載の発明は、保持されたプラグのプラグブレードの延びる方向が、巻付け部の軸線方向に対して垂直をなすので、プラグブレードが本体から外に向かって突出することがなく、邪魔にならず安全である。
【００１１】
請求項３記載の発明は、プラグが扁平に形成され、その扁平面が、巻付け部の軸線方向に対して垂直をなすようにプラグが保持される。したがって、プラグが電気機器本体から大きく突出することがなく、プラグを本体内に完全に収納する場合でも、可動部材の移動範囲を少なくすることができる。また、請求項４記載の発明は、プラグがプラグ保持部に保持されたときに、プラグブレードがプラグ保持部の外周よりも外側に突出するようにプラグ保持部が形成されているので、プラグ保持部の大きさをプラグの全長よりも小さくすることができる。また、可動部材がハウジング内に収納されたときに、プラグブレードを受ける凹所がハウジングに形成されているので、電源コードと共にプラグもハウジングに収納することができる。さらに、請求項５記載の発明は、電気コード及びプラグがハウジングの表面から突出しないようにハウジング内に収納することができる構成である。したがって、電気コード及びプラグが収納されると邪魔にならない。また、電気コードが収納された面を底面として、電気機器を調理台などの上に立て置くことが可能となる。
【００１２】
請求項６記載の発明は、電源コード収納装置が、電気機器本体とは独立した装置として構成され、電気機器本体に一体的に固定される。したがって、電源コード収納装置を独立した工程によって別体のものとして製造することにより、電気機器を組み立てる工程の最終段階でハウジングを組み立てる際に、電源コード収納装置をハウジングと一体的になるように簡単に組み込ませることができる。これにより、電源コード収納装置を電気機器本体に配備する工程を簡易化することができる。
【図面の簡単な説明】
【００１３】
【図１】図１は本発明の斜視図である。
【図２】図２は本発明の断面図である。
【図３】図３は電源コード収納装置の斜視図である。
【図４】図４は電源コード収納装置の分解図である。
【図５】図５は電源コード収納装置の外壁部材の斜視図である。
【図６】図６は電源コード収納装置の外壁部材の断面図である。
【図７】図７は電源コード収納装置のスリーブの断面図である。
【図８】図８は電源コード収納装置の可動部材の断面図である。
【図９】図９は可動部材の巻付け部が電源コード巻付け可能に引き出された状態を示す断面図である。
【図１０】図１０は可動部材の巻付け部までが収納された状態を示す断面図である。
【図１１】図１１は可動部材全体が電源コード収納装置に収納された状態を示す断面図である。
【発明を実施するための形態】
【００１４】
以下、本発明の実施形態について説明する。本実施形態の電気機器はハンドミキサー１である。図２に示すように、ハンドミキサー１のハウジング２の中に電源コード収納装置３が取り付けられている。なお、ハウジング２の内部機構については省略されている。図４に示すように、電源コード収納装置３は、外壁部材４、スリーブ５、可動部材６とから成り、可動部材６は、巻付け部７とプラグ保持部８とで構成されている。そして、図３に示すように、電源コード収納装置３は、独立した装置として組み立てられている。図１に示すように、本実施形態のハンドミキサー１は、電源コード収納装置３がスイッチ５２などの操作部から離れた位置に設けられているので、電源コードなどが操作部の操作の邪魔にならない。
【００１５】
外壁部材４は、可動部材６がその巻付け部７の軸線方向に移動できるための空間部９と、その空間部９の周囲を覆う周壁１０と、可動部材６をハウジング２から突出させるための開口１１と、その開口１１と反対側の端部を覆う端壁１２とを有している。周壁１０は円筒形に形成されているが、開口１１に沿った周壁の一部を外側に大きく膨出させた膨出周壁１８が形成され、その膨出周壁１８で囲まれた空間部の前記端壁１２側の面を壁１３で塞ぐことにより、凹所１４が形成されている。また、端壁１２の中央から空間部９に向かって延びる筒状のガイド支柱１５が端壁１２に設けられている。ガイド支柱１５の断面の外形はほぼ正六角形をなしている。この正六角形は、図４に示すように、対向する一対の辺が上下に来るように形成されている。そのため、ガイド支柱１５は上面部１６と下面部１７を有する。そして、図６に示すように、ガイド支柱１５の上面部１６と下面部１７の端部外面にはそれぞれ突部２０，２１が設けられている。これらの突部２０，２１は、後述するようにガイド支柱１５に摺動可能に嵌められたスリーブ５の逸脱を防止するためのものである。なお、周壁１０には溝１９が形成されているが、これは、電源コード２４を通すためのものである。すなわち、ハウジング２の、前記溝１９と同じ位置に、その溝１９と上下幅が等しく溝１９よりもやや深い溝(図示せず。)が形成されている。そして、その深い溝の奥部に設けられた孔を通って、電源コード２４が外に延びている。電源コード２４を巻付け部７に巻き付けるときは、外に延びている電源コード２４を、そのハウジング２の深い溝と周壁１０の溝１９を通して巻付け部７の方向に引っ張ってから巻き付ける。
【００１６】
スリーブ５は筒状に形成されて挿通孔４２を有している。スリーブ５の断面の外形はほぼ正六角形をなし、ガイド支柱１５の断面の外形と同様に、対向する一対の辺が上下に来るように形成されている。挿通孔４２の断面も同様に、対向する一対の辺が上下に来る正六角形をなしている。スリーブ５も、ガイド支柱１５と同様に上面部２２と下面部２３を有している。スリーブ５の挿通孔４２にガイド支柱１５を挿通させることにより、スリーブ５はガイド支柱１５に取り付けられ、ガイド支柱１５上を摺動することができる。スリーブ５の挿通孔４２の断面がほぼ正六角形で、それに内接するガイド支柱１５の断面の外形もほぼ正六角形であるから、スリーブ５はガイド支柱１５に対して軸線を中心に回転しない。図７に示すように、スリーブ５の上面部２２と下面部２３のプラグ保持部８側の端部外面にそれぞれ突部２５，２６が設けられている。また、その上面部２２と下面部２３の端壁１２側の端部付近内面にそれぞれ段差部２７，２８が設けられている。スリーブ５がガイド支柱１５上を摺動するときに、その段差部２７，２８が、ガイド支柱１５の突部２０，２１に係止することにより、スリーブ５がガイド支柱１５から逸脱しないのである。
【００１７】
前述したように、可動部材６は、巻付け部７とプラグ保持部８とで構成されている。巻付け部７は筒状に形成され、巻付け部７の突出方向側の端部に小径フランジ２９が設けられ、収納方向側の端部に大径フランジ３０が設けられている。突出方向側のフランジを小径フランジとしたのは、図１に示した電源コード２４の巻付け状態から、プラグ３７を持って電源コード２４を引き出すときに、電源コード２４が小径フランジ２９に引っ掛からないようにするためである。小径フランジ２９の周囲の全周に亘って段差部３６が設けられており、この段差部３６に、プラグ保持部８の外壁４６の端部４７の内面が嵌合し且つ超音波で溶着され、プラグ保持部８は、小径フランジ２９に結合されている。さらに、小径フランジ２９には一対の嵌合突部４８，４８が設けられており、これにより、プラグ保持部８が上下逆に小径フランジ２９に取り付けられようとしたときに、嵌合突部４８，４８が干渉して取付けを規制するので、上下逆に取り付けられることがない。図１に示すように、プラグ保持部８には、扁平なプラグ３７をプラグブレード３８が上向きの状態で両側から挟むように嵌合させるための嵌合溝３９が形成されている。嵌合溝３９の両側内面にそれぞれ指入れ凹部４９、４９が設けられている。この指入れ凹部４９，４９に例えば親指と人差し指を入れることにより、嵌合されているプラグ３７を容易に抜くことができる。プラグ３７の嵌合を確実にするために、プラグ３７の樹脂部分はやや弾性を有するものが好ましい。また、その嵌合溝３９で分割されたプラグ保持部８の端面４０、４０は面一である。嵌合溝３９は、扁平なプラグ３７を保持したときに、プラグ３７が端面４０，４０から突出しないだけの深さを有している。したがって、可動部材６を完全に収納すれば、プラグ３７を底にしてハンドミキサーを置いたときに、プラグ３７が突出しないので、安定した状態で置くことができる。端面４０，４０の外周に沿って幅の狭いフランジ４１，４１が形成されており、収納されている可動部材６を引き出すときの指掛けとすることができるので、可動部材６を容易に引き出すことができる。
【００１８】
可動部材６の巻付け部７は筒状に形成され、挿通孔３１を有している。挿通孔３１の突出方向側の端部は、プラグ保持部８によって塞がれている。筒状巻付け部７の断面の外形は円形であって、挿通孔３１の断面はほぼ正六角形をなし、スリーブ５の断面の外形と同様に、対向する一対の辺が上下に来るように形成されている。巻付け部７にこのような挿通孔３１が形成されることにより、巻付け部７は上面部３２と下面部３３を有している。図８に示すように、上面部３２と下面部３３の収納側寄りの内面に段差部３４，３５が設けられている。挿通孔３１にはガイド支柱１５に取り付けられているスリーブ５が摺動可能に挿通されている。すなわち、可動部材６は、スリーブ５を介してガイド支柱１５に連結されている。可動部材６の挿通孔３１の断面が正六角形をなし、スリーブ５の断面の外形が正六角形をなしているから、可動部材６はスリーブ５に対して軸線を中心に回転しない。スリーブ５と可動部材６が、外壁部材４の開口１１から最も突出するように引き出されときに、前述したように、スリーブ５は、その段差部２７，２８が、ガイド支柱１５の突部２０，２１に係止する。そして、可動部材６の段差部３４，３５が、スリーブ５の突部２５，２６に係止することにより、可動部材６がスリーブ５から逸脱しないのである。なお、可動部材６を着脱可能とすれば、電源コード２４を巻き付けるときに、取り外した可動部材６のプラグ保持部８にプラグ３７を嵌め、可動部材６を回しながら電源コード２４を巻き付け、巻付けが完了したときに再度可動部材６を取り付けることができる。
【００１９】
図２に示すように、外壁部材４の中にスリーブ５と可動部材６が組み込まれた電源コード収納装置３は、ハウジング２の中に嵌め込まれている。また、図１又は図２に示すように、外壁部材４の外周縁部４３は、ハウジング２の表面と面一である。図９は、可動部材６の巻付け部７が電源コードを巻付け可能に引き出された状態を示す断面図であり、この状態から、プラグ保持部８を収納方向に押して巻付け部７までを外壁部材４の中に収納した状態が図１０に示されている。この図１０から明らかなように、可動部材６は収納方向へ移動しているが、スリーブ５は移動していない。これは、ガイド支柱１５とスリーブ５との摺動摩擦よりも、スリーブ５と可動部材６との摺動摩擦の方が小さいので、可動部材６を最も突出させた状態から、プラグ保持部８を押して可動部材６を収納するときに、最初に可動部材６のみが移動し、移動の途中までスリーブ５は移動しないのである。ここからさらにプラグ保持部８を押して可動部材６を移動させると、可動部材６の挿通孔３１の突出方向側の端部を塞いでいるプラグ保持部８によってスリーブ５が押されて収納方向側に移動する。そして、最終的に、図１１に示す可動部材６の収納状態となる。この図から明らかなように、電源コードを全部引き出した状態で可動部材６のみを収納してハンドミキサーを使用することができる。また、図１１の状態は、可動部材６の巻付け部７に巻き付けられた電源コード２４がハウジング２内に収納される状態でもある。なお、ガイド支柱１５とスリーブ５との摺動摩擦よりも、スリーブ５と可動部材６との摺動摩擦の方を大きくしたときは、最初に可動部材６とスリーブ５が一緒に移動するが、このような構成であっても差し支えない。次に、可動部材６が図１１に示すように、外壁部材４の中に完全に収納されたときに、その可動部材６が外壁部材４から自然に抜け出すことを防止する構成について説明する。図４及び図８に示すように、巻付け部７の大径フランジ３０の上端に突片４４が設けられている。そして、図８に示すように、突片４４の端部上面に山形の小突起５０が設けられている。図５に示すように、外壁部材４の端壁１２の上端に凹部４５が形成されている。そして、その凹部４５の上側に突部５１が突出している。可動部材６が完全に収納されたときは、図１１で示すように、大径フランジ３０に設けられた突片４４が、外壁部材４の凹部４５から端壁１２を越えて突出し、突片４４の小突起５０が、外壁部材４の突部５１の端部に係止して可動部材６が外壁部材４から抜け出すことを規制するのである。図１０に示すように、突片４４が外壁部材４の中にあるときは、突片４４が外壁部材４の周壁１０に圧接して突片４４は撓んだ状態であるが、突片４４の小突起５０が露出したときに、突片４４は撓まない状態に戻り、そのときに係止するのである。
【００２０】
なお、本発明は前述した構成に基づいて種々の態様をとることが可能である。例えば、電気機器はハンドミキサーに限定されるものでなく、ヘアドライヤーや電気アイロンなどの電源コードを有する多くの電気機器に適用できる。また、本発明は、可動部材６にプラグ保持部８を設けてプラグ３７を固定することにより、可動部材６の巻付け部７に巻き付けた電源コード２４の巻付け状態を確実に維持することも目的とするものであり、巻き付けた電源コード２４がハウジング２内に完全に収納されず、一部が収納されるものであってもよい。
【産業上の利用可能性】
【００２１】
可動部材６の巻付け部７に巻き付けられた電源コード２４のプラグ３７を保持するプラグ保持部８を、可動部材６に設けることにより、収納された電源コード２４の巻付け状態を確実に維持することができる電気機器とすることができる。
【符号の説明】
【００２２】
１  ハンドミキサー、    ２  ハウジング、    ３  電源コード収納装置、    ４  外壁部材、    ５  スリーブ、    ６  可動部材、    ７  巻付け部、    ８  プラグ保持部、    ９  空間部、    １０  周壁、    １１  開口、    １２  端壁、    １３  壁、    １４  凹所、    １５  ガイド支柱、    １６  上面部、    １７  下面部、    １８  膨出周壁、    １９  溝、    ２０  突部、    ２１  突部、    ２２  上面部、    ２３  下面部、    ２４  電源コード、    ２５  突部、    ２６  突部、    ２７  段差部、    ２８  段差部、    ２９  小径フランジ、    ３０  大径フランジ、    ３１  挿通孔、    ３２  上面部、    ３３  下面部、    ３４  段差部、    ３５  段差部、    ３６  段差部、    ３７  プラグ、    ３８  プラグブレード、    ３９  嵌合溝、    ４０  端面、    ４１  フランジ、    ４２  挿通孔、    ４３  外周縁部、    ４４  突片、    ４５  凹部、    ４６  プラグ保持部の外壁、    ４７  端部、    ４８  嵌合突部、    ４９  指入れ凹部、    ５０  小突起、    ５１  突部、    ５２  スイッチ
【図１】
0006558932.tif 000002
【図２】
0006558932.tif 000003
【図３】
0006558932.tif 000004
【図４】
0006558932.tif 000005
【図５】
0006558932.tif 000006
【図６】
0006558932.tif 000007
【図７】
0006558932.tif 000008
【図８】
0006558932.tif 000009
【図９】
0006558932.tif 000010
【図１０】
0006558932.tif 000011
【図１１】
0006558932.tif 000012